(57)【要約】      （修正有）【課題】帯電防止機能を有するクリーニング具を提供する。【解決手段】帯電防止機能を有する器具１０を備えるクリーニング具１であって、器具に設置するか器具を包囲する帯電防止層２０を備え、帯電防止層は水酸化カリウムを含む水酸化カリウム水溶液と、オリーブオイルと、水酸化カリウム水溶液及びオリーブオイルを混合した混合物と、を含み、混合物は１６〜２１重量％の水酸化カリウム及び７９〜８４重量％のオリーブオイルを混合したものである。【選択図】図１
0003231044.tif 000002
【実用新案登録請求の範囲】
【請求項１】
バッキングを有する帯電防止機能を有するクリーニング具であって、
前記バッキングに設置するか、又は前記バッキングを包囲する帯電防止層を備えていることを特徴とする、
帯電防止機能を有するクリーニング具。
【請求項２】
前記帯電防止層は、水酸化カリウムを含む水酸化カリウム水溶液と、オリーブオイルと、前記水酸化カリウム水溶液及び前記オリーブオイルを混合した混合物と、を含み、前記混合物は１６〜２１重量％の水酸化カリウム及び７９〜８４重量％の前記オリーブオイルを混合したものであることを特徴とする請求項１に記載の帯電防止機能を有するクリーニング具。
【請求項３】
水酸化カリウム水溶液を吸収するバッキングを有し、
前記水酸化カリウム水溶液は水酸化カリウムと、オリーブオイルと、前記水酸化カリウム水溶液及び前記オリーブオイルを混合した混合物と、を含み、
前記混合物は１６〜２１重量％の水酸化カリウム及び７９〜８４重量％の前記オリーブオイルを混合したものであり、
前記バッキングを包囲する穴を有する層を備えていることを特徴とする、
帯電防止機能を有するクリーニング具。
【請求項４】
バッキングを有する帯電防止機能を有するクリーニング具であって、
前記バッキングの表面に埋め込んだ帯電防止層を備えていることを特徴とする、
帯電防止機能を有するクリーニング具。
【請求項５】
前記帯電防止層は水酸化カリウムを含む水酸化カリウム水溶液と、オリーブオイルと、前記水酸化カリウム水溶液及び前記オリーブオイルを混合した混合物と、を含み、前記混合物は１６〜２１重量％の水酸化カリウム及び７９〜８４重量％の前記オリーブオイルを混合したものであることを特徴とする請求項４に記載の帯電防止機能を有するクリーニング具。
【請求項６】
バッキングを有する帯電防止機能を有するクリーニング具であって、
前記バッキングの上面に設置する帯電防止層と、
前記バッキングの下面に設置する耐紫外線層と、を備えていることを特徴とする、
帯電防止機能を有するクリーニング具。
【請求項７】
前記帯電防止層は水酸化カリウムを含む水酸化カリウム水溶液と、オリーブオイルと、前記水酸化カリウム水溶液及び前記オリーブオイルを混合した混合物と、を含み、前記混合物は１６〜２１重量％の水酸化カリウム及び７９〜８４重量％の前記オリーブオイルを混合したものであることを特徴とする請求項６に記載の帯電防止機能を有するクリーニング具。
【請求項８】
バッキングを有する帯電防止機能を有するクリーニング具であって、
前記バッキングの一端の表面に埋め込んだ帯電防止層と、
前記バッキングの他端の表面に埋め込んだ耐紫外線層と、を備えていることを特徴とする、
帯電防止機能を有するクリーニング具。
【請求項９】
前記帯電防止層は水酸化カリウムを含む水酸化カリウム水溶液と、オリーブオイルと、前記水酸化カリウム水溶液及び前記オリーブオイルを混合した混合物と、を含み、前記混合物は１６〜２１重量％の水酸化カリウム及び７９〜８４重量％の前記オリーブオイルを混合したものであることを特徴とする請求項８に記載の帯電防止機能を有するクリーニング具。
【考案の詳細な説明】
【技術分野】
【０００１】
本考案は、クリーニング具に関し、更に詳しくは、帯電防止機能を有するクリーニング具に関する。
【背景技術】
【０００２】
台湾の多くの寺院や史跡には木版画が多く存在する。そのような美しい木版画には伝統及び文化が記録されており、歴史や芸術の観点から極めて重要な財産といえる。
【考案の概要】
【考案が解決しようとする課題】
【０００３】
しかしながら、長期間空気に触れることで、或いは、寺院の中で線香の煙を浴びることで、木版画の表面に煤や斑点が発生しやすくなっている。灰が長期間付着することで、灰の粒子が木版画に粘着して容易に落とせないシミとなることもある。
【０００４】
また、寺院の中で線香の煙が空気中に水分子、線香の生成物、灰、不純物等の多くの粒子を発生させ、それ自体がプラスイオン及びマイナスイオンを有する。プラスとマイナスの電気的性質が平衡するため、粒子が中性を呈し、外部に対して電気的性質を示さない。プラスイオン及びマイナスイオンの特性は磁石の同極同士が反発しあい、異極同士は吸着しあうという原理と相似する。このため、粒子が静電圧に近付くと、粒子中のプラスイオンが排斥され、粒子中にはマイナスイオンが残るため、粒子全体がマイナスの電気特性を呈し、これにより静電圧が吸着し、低極性化合物が寺院の装飾物に吸着し、寺院の宝飾品及び近代芸術の真髄を徐々に浸食する。
界面活性剤はイオン層を製造することで静電気が汚染粒子を吸引して灰を形成するのを防止する溶剤であり、同時に両親媒性（ａｍｐｈｉｐｈｉｌｉｃ）構造的を有する化合物である。この両親媒性構造とは水溶液に対する親和力が小さい親油基（ｌｉｐｏｐｈｉｌｉｃ  ｇｒｏｕｐ）及び水溶液に対する親和力が強い親水基（ｈｙｄｒｏｐｈｉｌｉｃ  ｇｒｏｕｐ）を指す。このような両親媒性構造は界面活性剤の物理性質に対して強い影響力を有し、低濃度の界面活性剤を溶液に添加すると、界面活性分子が単体で存在するのみとなり、但し界面活性剤の濃度が限界を超えて高まると、親油基の炭化水素の長鎖と水分子との間の疎水効果（ｈｙｄｒｏｐｈｏｂｉｃ  ｅｆｆｅｃｔ）及び親水基が帯びる電荷が発生させる静電排斥の静電効果（ｅｌｅｃｔｒｏｓｔａｔｉｃ  ｅｆｆｅｃｔ）により界面活性剤の間で集合が生じる。
疎水性有機物はミセル内部に溶け出し、界面活性剤がイオン層により静電吸引を防止し、空気中の大気汚染物質または汚染物質を除去する。この特性を利用して難溶性汚染物質の溶解量を増やす。
【０００５】
また、洋の東西を問わず油絵が好まれており、その顔料の特性により、空気に触れると酸化しやすく、表面の顔料が劣化して汚れとなる。油絵は保存不良や湿度調節の不備により、表面の顔料に亀裂が生じ、画中にはっきりとしたひびが入って美観に影響を及ぼした。亀裂箇所は細かな顔料粒子が付着し、汚れが隠れやすい箇所でもあった。
【０００６】
これらの絵画の修復過程では、まず煤、汚れ、或いは劣化した表面の顔料を除去し、亀裂箇所から剥落した顔料の粉末を洗い落とした後、色を補修する。絵画は極めて脆いため、クリーニングには細心の注意を払なければ、顔料が斑になったり、落ちてしまい、絵画が毀損することとなる。
【０００７】
従来の絵画のクリーニング方法では水で洗い落とすが、油性物質を溶解することはできなかった。これでは煤や汚れを効果的に洗い落とせず、劣化した顔料や亀裂が生じて剥落した顔料の粉末を溶解することもできなかった。
【０００８】
そこで、本考案者は上記の欠点が改善可能と考え、鋭意検討を重ねた結果、絵画を毀損せずに上記の課題を効果的に改善する本考案の提案に到った。
【０００９】
本考案はこうした状況に鑑みてなされたものであり、その目的は、帯電防止機能を有するクリーニング具を提供することにある。これにより、絵画や寺院の装飾物に損害を与えずに煤、汚れ、及び劣化した顔料を効果的に洗い落とす。
【課題を解決するための手段】
【００１０】
上記課題を解決するために、本考案のある態様の帯電防止機能を有するクリーニング具は、バッキングを有する。前記バッキングに設置するか前記バッキングを包囲する帯電防止層を備えている。
【００１１】
また、本考案に係る帯電防止機能を有するクリーニング具は、前記帯電防止層は水酸化カリウムを含む水酸化カリウム水溶液と、オリーブオイルと、前記水酸化カリウム水溶液及び前記オリーブオイルを混合した混合物と、を含み、前記混合物は１６〜２１重量％の水酸化カリウム及び７９〜８４重量％の前記オリーブオイルを混合したものであることを特徴とする。
【００１２】
また、本考案に係る帯電防止機能を有するクリーニング具において、前記水酸化カリウム水溶液は４．７〜１３．６重量％であることを特徴とする。
【００１３】
また、本考案に係る帯電防止機能を有するクリーニング具において、前記帯電防止層は１６．５重量％の水酸化カリウム及び８３．５重量％の前記オリーブオイルを混合することで獲得することを特徴とする。
【００１４】
また、本考案に係る帯電防止機能を有するクリーニング具において、前記水酸化カリウム水溶液は４．８重量％濃度であることを特徴とする。
【００１５】
また、本考案に係る帯電防止機能を有するクリーニング具において、バッキングを有し、前記バッキングは水酸化カリウム水溶液を吸収し、前記水酸化カリウム水溶液は水酸化カリウムと、オリーブオイルと、前記水酸化カリウム水溶液及び前記オリーブオイルを混合した混合物と、を含み、前記混合物は１６〜２１重量％の水酸化カリウム及び７９〜８４重量％の前記オリーブオイルを混合したものである。前記バッキングを包囲する穴を有する層を備えていることを特徴とする。
【００１６】
また、本考案に係る帯電防止機能を有するクリーニング具において、前記水酸化カリウム水溶液は４．７〜１３．６重量％濃度であることを特徴とする。
【００１７】
また、本考案に係る帯電防止機能を有するクリーニング具において、前記バッキングは１６．５重量％の水酸化カリウムに８３．５重量％の前記オリーブオイルを混合して得られたものを吸収することを特徴とする。
【００１８】
また、本考案に係る帯電防止機能を有するクリーニング具において、前記水酸化カリウム水溶液は４．８重量％濃度であることを特徴とする。
【００１９】
また、本考案に係る帯電防止機能を有するクリーニング具において、バッキングを有する。前記バッキングの表面に埋め込む電防止層を備えていることを特徴とする。
【００２０】
また、本考案に係る帯電防止機能を有するクリーニング具において、前記帯電防止層は水酸化カリウムを含む水酸化カリウム水溶液と、オリーブオイルと、前記水酸化カリウム水溶液及び前記オリーブオイルを混合した混合物と、を含み、前記混合物は１６〜２１重量％の水酸化カリウム及び７９〜８４重量％の前記オリーブオイルを混合したものであることを特徴とする。
【００２１】
また、本考案に係る帯電防止機能を有するクリーニング具において、前記水酸化カリウム水溶液は４．７〜１３．６重量％濃度であることを特徴とする。
【００２２】
また、本考案に係る帯電防止機能を有するクリーニング具において、前記帯電防止層は１６．５重量％の水酸化カリウムに８３．５重量％の前記オリーブオイルを混合することで得られることを特徴とする。
【００２３】
また、本考案に係る帯電防止機能を有するクリーニング具において、前記水酸化カリウム水溶液は４．８重量％濃度であることを特徴とする。
【００２４】
また、本考案に係る帯電防止機能を有するクリーニング具において、バッキングを有する。前記バッキングの上面に設置する帯電防止層及び前記バッキングの下面に設置する耐紫外線層を備えていることを特徴とする。
【００２５】
また、本考案に係る帯電防止機能を有するクリーニング具において、前記帯電防止層は水酸化カリウムを含む水酸化カリウム水溶液と、オリーブオイルと、前記水酸化カリウム水溶液及び前記オリーブオイルを混合した混合物と、を含み、前記混合物は１６〜２１重量％の水酸化カリウム及び７９〜８４重量％の前記オリーブオイルを混合したものであることを特徴とする。
【００２６】
また、本考案に係る帯電防止機能を有するクリーニング具において、前記水酸化カリウム水溶液は４．７〜１３．６重量％濃度であることを特徴とする。
【００２７】
また、本考案に係る帯電防止機能を有するクリーニング具において、前記帯電防止層は１６．５重量％の水酸化カリウムに８３．５重量％の前記オリーブオイルを混合することで得られることを特徴とする。
【００２８】
また、本考案に係る帯電防止機能を有するクリーニング具において、前記水酸化カリウム水溶液は４．８重量％濃度であることを特徴とする。
【００２９】
また、上記目的を達成するための主たる考案は、バッキングを有する。前記バッキングの一端の表面に埋め込む帯電防止層及び前記バッキングの他端の表面に埋め込む耐紫外線層を備えていることを特徴とする帯電防止機能を有するクリーニング具である。
【００３０】
また、本考案に係る帯電防止機能を有するクリーニング具において、前記帯電防止層は水酸化カリウムを含む水酸化カリウム水溶液と、オリーブオイルと、前記水酸化カリウム水溶液及び前記オリーブオイルを混合した混合物と、を含み、前記混合物は１６〜２１重量％の水酸化カリウム及び７９〜８４重量％の前記オリーブオイルを混合したものであることを特徴とする。
【００３１】
また、本考案に係る帯電防止機能を有するクリーニング具において、前記水酸化カリウム水溶液は４．７〜１３．６重量％濃度であることを特徴とする。
【００３２】
また、本考案に係る帯電防止機能を有するクリーニング具において、前記帯電防止層は１６．５重量％の水酸化カリウムに８３．５重量％の前記オリーブオイルを混合することで得られることを特徴とする。
【００３３】
また、本考案に係る帯電防止機能を有するクリーニング具において、前記水酸化カリウム水溶液は４．８重量％濃度であることを特徴とする。
【考案の効果】
【００３４】
本考案によれば、次のような効果がある。
本考案に係る帯電防止機能を有するクリーニング具は、水酸化カリウム及びオリーブオイル自体の特殊な性質、及び水酸化カリウムとオリーブオイルとの特定の混合比率により、製造した前記帯電防止機能を有するクリーニング具が優れたクリーニング能力を有し、絵画または寺院の装飾物上の汚れ、煤、及び劣化した顔料を効果的に洗い落とし、且つ絵画や寺院の装飾物を破壊しない効果を達成する。
【００３５】
また、本考案に係る帯電防止機能を有するクリーニング具に使用するオリーブオイルの成分により、前記帯電防止機能を有するクリーニング具によりクリーニング処理を行った後の絵画や寺院の装飾物が本来の顔料の性質が安定し、クリーニングにより絵画や寺院の装飾物の劣化が加速しないようにする効果を達成する。本考案に係る帯電防止機能を有するクリーニング具により擦過した文物は一定時間内に帯電防止効果を達成する。
【００３６】
本考案の他の特徴については、本明細書及び添付図面の記載により明らかにする。
【図面の簡単な説明】
【００３７】
【図１】本考案の一実施例に係る帯電防止機能を有するクリーニング具を示す概略図（一）である。
【図２】本考案の一実施例に係る帯電防止機能を有するクリーニング具を示す概略図（二）である。
【図３】本考案の一実施例に係る帯電防止機能を有するクリーニング具を示す概略図（三）である。
【図４】本考案の一実施例に係る帯電防止機能を有するクリーニング具を示す概略図（四）である。
【図５】本考案の一実施例に係る帯電防止機能を有するクリーニング具を示す概略図（五）である。
【図６】本考案の一実施例に係る帯電防止機能を有するクリーニング具を示す概略図（六）である。
【考案を実施するための形態】
【００３８】
以下、本開示の実施形態について図面を用いて説明する。なお、本開示は、下記の実施形態に何ら限定されることはなく、本開示の技術的範囲に属する限り種々の形態を採りうる。
【００３９】
図１は本考案の一実施例に係る帯電防止機能を有するクリーニング具を示す概略図（一）である。図２は本考案の一実施例に係る帯電防止機能を有するクリーニング具を示す概略図（二）である。
図に示されるように、帯電防止機能を有するクリーニング具１は、バッキング１０を有し、前記バッキング１０に設置するか前記バッキング１０を包囲する帯電防止層２０を備えている。文物を擦過する場合、まず前記帯電防止層２０で擦過し、前記文物の表面に帯電防止膜を形成し、帯電防止効果を有する。
【００４０】
図１に示されるように、前記バッキング１０に設置する前記帯電防止層２０は水酸化カリウムを含む水酸化カリウム水溶液と、オリーブオイルと、前記水酸化カリウム水溶液及び前記オリーブオイルを混合した混合物と、を含み、前記混合物は１６〜２１重量％の水酸化カリウム及び７９〜８４重量％の前記オリーブオイルを混合したものである。
前記水酸化カリウム水溶液は４．７〜１３．６重量％濃度である。前記帯電防止層２０は１６．５重量％の水酸化カリウムに８３．５重量％の前記オリーブオイルを混合することで得られる。前記水酸化カリウム水溶液は４．８重量％濃度である。
【００４１】
図２に示されるように、前記バッキング１０を包囲する前記帯電防止層２０は水酸化カリウムを含む水酸化カリウム水溶液と、オリーブオイルと、前記水酸化カリウム水溶液及び前記オリーブオイルを混合した混合物と、を含み、且つ１６〜２１重量％の水酸化カリウム及び７９〜８４重量％の前記オリーブオイルを混合したものである。
前記水酸化カリウム水溶液は４．７〜１３．６重量％濃度である。前記帯電防止層２０は１６．５重量％の水酸化カリウムに８３．５重量％の前記オリーブオイルを混合することで得られる。前記水酸化カリウム水溶液は４．８重量％濃度である。
【００４２】
図３は本考案の一実施例に係る帯電防止機能を有するクリーニング具を示す概略図（三）である。図３に示されるように、帯電防止機能を有するクリーニング具１は、バッキング１０を有し、前記バッキング１０は水酸化カリウム水溶液を吸収し、前記水酸化カリウム水溶液は水酸化カリウムと、オリーブオイルと、前記水酸化カリウム水溶液及び前記オリーブオイルを混合した混合物と、を含み、前記混合物は１６〜２１重量％の水酸化カリウム及び７９〜８４重量％の前記オリーブオイルを混合したものである。
帯電防止機能を有するクリーニング具１は、前記バッキング１０を包囲する穴を有する層３０を備え、且つ前記バッキング１０が吸収する前記水酸化カリウム水溶液及び前記オリーブオイルの混合物は、圧搾した後、穴を有する層３０の穴３２から滲出したものである。文物を擦過する場合、まず前記バッキング１０が吸収する前記水酸化カリウム水溶液及び前記オリーブオイルの混合物を圧搾した後、穴を有する層３０の穴３２から滲出させ、前記文物の表面に帯電防止膜を形成し、帯電防止効果を有する。
【００４３】
図３に示されるように、前記水酸化カリウム水溶液は４．７〜１３．６重量％濃度である。前記バッキング１０が吸収するものは１６．５重量％の水酸化カリウムに８３．５重量％の前記オリーブオイルを混合することで得られたものである。前記水酸化カリウム水溶液は４．８重量％濃度である。
【００４４】
図４は本考案の一実施例に係る帯電防止機能を有するクリーニング具を示す概略図（四）である。図４に示されるように、帯電防止機能を有するクリーニング具１は、バッキング１０を有し、前記バッキング１０の表面に埋め込む帯電防止層２０を備え、且つ前記帯電防止層２０は吸収生地である。文物を擦過する場合、まず前記帯電防止層２０で擦過し、前記文物の表面に帯電防止膜を形成し、帯電防止効果を有する。
【００４５】
図４に示されるように、前記帯電防止層２０は水酸化カリウムを含む水酸化カリウム水溶液と、オリーブオイルと、前記水酸化カリウム水溶液及び前記オリーブオイルを混合した混合物と、を含み、前記混合物は１６〜２１重量％の水酸化カリウム及び７９〜８４重量％の前記オリーブオイルを混合したものである。
前記水酸化カリウム水溶液は４．７〜１３．６重量％濃度である。前記帯電防止層２０は１６．５重量％の水酸化カリウムに８３．５重量％の前記オリーブオイルを混合することで得られる。前記水酸化カリウム水溶液は４．８重量％濃度である。
【００４６】
図５は本考案の一実施例に係る帯電防止機能を有するクリーニング具を示す概略図（五）である。図５に示されるように、帯電防止機能を有するクリーニング具１はバッキング１０を有し、前記バッキング１０の上面に設置する帯電防止層２０及び前記バッキング１０の下面に設置する耐紫外線層４０を備え、前記耐紫外線層４０はナノ酸化亜鉛材質を有する。文物を擦過する場合、まず前記帯電防止層２０で擦過し、前記文物の表面に帯電防止膜を形成した後、前記耐紫外線層４０で前記文物の表面を擦過し、前記文物の表面の帯電防止膜に耐紫外線膜を更に形成し、前記文物が耐紫外線効果を獲得すると同時に帯電防止効果を有する。
【００４７】
図５を参照する。前記帯電防止層２０は水酸化カリウムを含む水酸化カリウム水溶液と、オリーブオイルと、前記水酸化カリウム水溶液及び前記オリーブオイルを混合した混合物と、を含み、前記混合物は１６〜２１重量％の水酸化カリウム及び７９〜８４重量％の前記オリーブオイルを混合したものである。
前記水酸化カリウム水溶液は４．７〜１３．６重量％濃度である。前記帯電防止層２０は１６．５重量％の水酸化カリウムに８３．５重量％の前記オリーブオイルを混合することで得られる。前記水酸化カリウム水溶液は４．８重量％濃度である。
【００４８】
図６は本考案の一実施例に係る帯電防止機能を有するクリーニング具を示す概略図（六）である。
図６に示されるように、帯電防止機能を有するクリーニング具１はバッキング１０を有し、前記バッキング１０の一端の表面に埋め込む帯電防止層２０及び前記バッキング１０の他端の表面に埋め込む耐紫外線層４０を備え、前記耐紫外線層４０はナノ酸化亜鉛材質を有し、且つ前記帯電防止層２０及び前記耐紫外線層４０は共に吸収生地である。文物を擦過する場合、まず前記帯電防止層２０で擦過し、前記文物の表面に帯電防止膜を形成した後、前記耐紫外線層４０で前記文物の表面を擦過し、前記文物の表面の帯電防止膜に耐紫外線膜を更に形成し、前記文物が耐紫外線効果を獲得すると同時に帯電防止効果を有する。
【００４９】
図６を参照する。前記帯電防止層２０は水酸化カリウムを含む水酸化カリウム水溶液と、オリーブオイルと、前記水酸化カリウム水溶液及び前記オリーブオイルを混合した混合物と、を含み、前記混合物は１６〜２１重量％の水酸化カリウム及び７９〜８４重量％の前記オリーブオイルを混合したものである。
前記水酸化カリウム水溶液は４．７〜１３．６重量％濃度である。前記帯電防止層２０は１６．５重量％の水酸化カリウムに８３．５重量％の前記オリーブオイルを混合することで得られる。前記水酸化カリウム水溶液は４．８重量％濃度である。
【００５０】
本考案に係る帯電防止機能を有するクリーニング具１は、前記水酸化カリウム水溶液及びオリーブオイルを混合することで製造し、水酸化カリウム１６〜２１重量％及び前記オリーブオイル７９〜８４重量％の比率で混合し、前記水酸化カリウム水溶液中の水酸化カリウム及び前記オリーブオイルの鹸化反応を発生させる。
この特定の比率で混合することで、前記帯電防止機能を有するクリーニング具１が好ましい帯電防止力及びクリーニング力を有し、且つ低アルカリでカンバスや寺院の装飾物を傷付けない。前記オリーブオイルの比率が高すぎる場合、クリーニング剤中に多くの油分を含み、クリーニング効果に影響を与える。反対に、水酸化カリウムが過量である場合、クリーニング剤のアルカリ性が高すぎて腐食性が高まり、カンバスや絵画や寺院の装飾物が傷付くおそれがある。好ましくは、前記帯電防止機能を有するクリーニング具１のクリーニング液は前記水酸化カリウム１６．５％及び前記オリーブオイル８３．５％の比率で混合する。
【００５１】
また、前記水酸化カリウム水溶液の濃度を適切に調整し、水酸化カリウムを水に完全に溶かすのみで、オリーブオイル及び水酸化カリウムが同じ液相中で鹸化反応を発生させる。これは全て本考案の範囲に含まれる。本実施例の前記水酸化カリウム水溶液は４．７〜１３．６重量％濃度である。
使用時には、クリーニングする絵画の汚れの状態に合わせて前記帯電防止機能を有するクリーニング具１のクリーニング液を希釈することで濃度を更に調整する。また、先に小体積で高濃度な水酸化カリウム水溶液により前記帯電防止機能を有するクリーニング具１のクリーニング液を調合し、使用前に希釈することで、調合及び保存を便利にする。
【００５２】
例えば、本考案の一実施例において、まず水酸化カリウムにより４．８重量％濃度の水酸化カリウム水溶液を調製し、次いで水酸化カリウム１６．５％及びオリーブオイル８３．５％の比率で前記オリーブオイル及び前記水酸化カリウム水溶液を混合して前記帯電防止機能を有するクリーニング具１のクリーニング液を製造する。実際の作業では、４ｇの水酸化カリウムを８０ｇの水に溶かし、前記水酸化カリウム水溶液を獲得する。前記水酸化カリウム水溶液に２０．１ｇのオリーブオイルを混合し、攪拌後に前記帯電防止機能を有するクリーニング具１のクリーニング剤が得られる。また、使用時には、絵画のクリーニングが必要な領域の特性に基づいて、必要な濃度になるまで水で希釈する。
【００５３】
以上を総合すると、前記帯電防止機能を有するクリーニング具の水酸化カリウム及びオリーブオイル自体の特殊な性質、及び水酸化カリウムとオリーブオイルとの特定の混合比率により、製造した前記帯電防止機能を有するクリーニング具のクリーニング剤が好ましいクリーニング能力及び帯電防止能力を有し、且つ絵画や寺院の装飾物の汚れ、煤、及び劣化した顔料を効果的に洗い落とし、絵画や寺院の装飾物を破壊しない効果を達成する。
また、本考案に係る帯電防止機能を有するクリーニング具で使用するオリーブオイルの成分は、前記帯電防止機能を有するクリーニング具のクリーニング剤により処理を行った後の絵画が、本来の顔料の性質が安定し、クリーニングによって絵画や寺院の装飾物の劣化が加速しないようにする効果を達成する。
【００５４】
上記説明は、本考案を説明するためのものであって、実用新案登録請求の範囲に記載の考案を限定し、或いは範囲を限縮するように解すべきではない。また、本考案の各部構成は、上記実施例に限らず、実用新案登録請求の範囲に記載の技術的範囲内で種々の変形が可能であることは勿論である。
【符号の説明】
【００５５】
１  帯電防止機能を有するクリーニング具
１０  バッキング
２０  帯電防止層
３０  穴を有する層
３２  穴
４０  耐紫外線層
【図１】
0003231044.tif 000003
【図２】
0003231044.tif 000004
【図３】
0003231044.tif 000005
【図４】
0003231044.tif 000006
【図５】
0003231044.tif 000007
【図６】
0003231044.tif 000008
【手続補正書】
【提出日】令和2年12月18日(2020.12.18)
【手続補正１】
【補正対象書類名】実用新案登録請求の範囲
【補正対象項目名】全文
【補正方法】変更
【補正の内容】
【実用新案登録請求の範囲】
【請求項１】
基材を有する帯電防止機能を有するクリーニング具であって、
前記基材に設置するか、又は前記基材を包囲する帯電防止層を備えていることを特徴とする、
帯電防止機能を有するクリーニング具。
【請求項２】
前記帯電防止層は、水酸化カリウムを含む水酸化カリウム水溶液と、オリーブオイルと、前記水酸化カリウム水溶液及び前記オリーブオイルを混合した混合物と、を含み、前記混合物は１６〜２１重量％の水酸化カリウム及び７９〜８４重量％の前記オリーブオイルを混合したものであることを特徴とする請求項１に記載の帯電防止機能を有するクリーニング具。
【請求項３】
水酸化カリウム水溶液を吸収する基材を有し、
前記水酸化カリウム水溶液は水酸化カリウムと、オリーブオイルと、前記水酸化カリウム水溶液及び前記オリーブオイルを混合した混合物と、を含み、
前記混合物は１６〜２１重量％の水酸化カリウム及び７９〜８４重量％の前記オリーブオイルを混合したものであり、
前記基材を包囲する穴を有する層を備えていることを特徴とする、
帯電防止機能を有するクリーニング具。
【請求項４】
基材を有する帯電防止機能を有するクリーニング具であって、
前記基材の表面に埋め込んだ帯電防止層を備えていることを特徴とする、
帯電防止機能を有するクリーニング具。
【請求項５】
前記帯電防止層は水酸化カリウムを含む水酸化カリウム水溶液と、オリーブオイルと、前記水酸化カリウム水溶液及び前記オリーブオイルを混合した混合物と、を含み、前記混合物は１６〜２１重量％の水酸化カリウム及び７９〜８４重量％の前記オリーブオイルを混合したものであることを特徴とする請求項４に記載の帯電防止機能を有するクリーニング具。
【請求項６】
基材を有する帯電防止機能を有するクリーニング具であって、
前記基材の上面に設置する帯電防止層と、
前記基材の下面に設置する耐紫外線層と、を備えていることを特徴とする、
帯電防止機能を有するクリーニング具。
【請求項７】
前記帯電防止層は水酸化カリウムを含む水酸化カリウム水溶液と、オリーブオイルと、前記水酸化カリウム水溶液及び前記オリーブオイルを混合した混合物と、を含み、前記混合物は１６〜２１重量％の水酸化カリウム及び７９〜８４重量％の前記オリーブオイルを混合したものであることを特徴とする請求項６に記載の帯電防止機能を有するクリーニング具。
【請求項８】
基材を有する帯電防止機能を有するクリーニング具であって、
前記基材の一端の表面に埋め込んだ帯電防止層と、
前記基材の他端の表面に埋め込んだ耐紫外線層と、を備えていることを特徴とする、
帯電防止機能を有するクリーニング具。
【請求項９】
前記帯電防止層は水酸化カリウムを含む水酸化カリウム水溶液と、オリーブオイルと、前記水酸化カリウム水溶液及び前記オリーブオイルを混合した混合物と、を含み、前記混合物は１６〜２１重量％の水酸化カリウム及び７９〜８４重量％の前記オリーブオイルを混合したものであることを特徴とする請求項８に記載の帯電防止機能を有するクリーニング具。
【手続補正２】
【補正対象書類名】明細書
【補正対象項目名】００３９
【補正方法】変更
【補正の内容】
【００３９】
図１は本考案の一実施例に係る帯電防止機能を有するクリーニング具を示す概略図（一）である。図２は本考案の一実施例に係る帯電防止機能を有するクリーニング具を示す概略図（二）である。
図に示されるように、帯電防止機能を有するクリーニング具１は、バッキング（基材）１０を有し、前記バッキング１０に設置するか前記バッキング１０を包囲する帯電防止層２０を備えている。文物を擦過する場合、まず前記帯電防止層２０で擦過し、前記文物の表面に帯電防止膜を形成し、帯電防止効果を有する。